(57)【要約】【課題】表示体に対する照明演出を容易に行える展示ケース及び照明装置を提供する。【解決手段】展示ケース１００は、表示体１５と、表示体１５を領域１６Ｕ，１６Ｄに分割し、領域１６Ｕ，１６Ｄに対して照明光を投影するプロジェクタ３Ｕ，３Ｄと、プロジェクタ３Ｕ，３Ｄに照明光を投影させる制御装置４と、を備え、プロジェクタ３Ｕ，３Ｄと、制御装置４と、表示体１５とは、１つの筐体１０に収納されており、光が投影された表示体１５は、外部から視認可能に設けられていることを特徴とする。【選択図】図１
2016201253.tif 000002
【特許請求の範囲】
【請求項１】
表示体と、
前記表示体を複数の領域に分割し、分割した領域である分割領域の各々に対して照明光を投影する複数の投影手段と、
前記複数の投影手段に照明光を投影させる制御手段と、
を備え、
前記複数の投影手段と、前記制御手段と、前記表示体とは、１つの筐体に収納されており、
光が投影された前記表示体は、外部から視認可能に設けられていること、
を特徴とする展示ケース。
【請求項２】
請求項１に記載の展示ケースにおいて、
前記制御手段は、前記複数の投影手段によって投影された結果、前記表示体の複数の分割領域に対して連続的に照明演出されるように、前記複数の投影手段が投影する照明光を同期させること、
を特徴とする展示ケース。
【請求項３】
請求項１又は請求項２に記載の展示ケースにおいて、
前記複数の投影手段の各々は、時間軸上で画像を更新する映像を、前記照明光として投影すること、
を特徴とする展示ケース。
【請求項４】
請求項１から請求項３までのいずれかに記載の展示ケースにおいて、
前記表示体は、立体物であること、
を特徴とする展示ケース。
【請求項５】
請求項１から請求項４までのいずれかに記載の展示ケースにおいて、
前記表示体は、人の形を模した物体であること、
を特徴とする展示ケース。
【請求項６】
人の形を模した立体物である表示体と共に１つの筐体に収納され、外部から視認可能に設けられた前記表示体に対して照明を照射する照明装置であって、
前記表示体を複数の領域に分割し、分割した領域である分割領域の各々に対して照明光を投影する複数の投影手段と、
前記複数の投影手段に照明光を投影させる制御手段と、
を備え、
前記制御手段は、前記複数の投影手段によって投影された光により、前記表示体の複数の分割領域に対して連続的に照明演出されるように、前記複数の投影手段を同期させること、
を特徴とする照明装置。
【発明の詳細な説明】
【技術分野】
【０００１】
本発明は、展示ケース及び照明装置に関する。
【背景技術】
【０００２】
従来、任意形状の被照射物体に照射光を投影して、被照射物体に対して照明演出をする照明装置が開示されている（例えば、特許文献１）。
【先行技術文献】
【特許文献】
【０００３】
【特許文献１】特開２００９−４９００７号公報
【発明の概要】
【発明が解決しようとする課題】
【０００４】
ところで、被照射物体である表示体に対して照明演出を行うためには、表示体の形状や、プロジェクタと表示体との位置関係によって、補正処理等の調整をしなければならない。この調整は、プロジェクタを設置する都度行う必要があり、手間がかかるものであった。
【０００５】
そこで、本発明は、表示体に対する照明演出を容易に行える展示ケース及び照明装置を提供することを目的とする。
【課題を解決するための手段】
【０００６】
本発明は、以下のような解決手段により、前記課題を解決する。
第１の発明は、表示体と、前記表示体を複数の領域に分割し、分割した領域である分割領域の各々に対して照明光を投影する複数の投影手段と、前記複数の投影手段に照明光を投影させる制御手段と、を備え、前記複数の投影手段と、前記制御手段と、前記表示体とは、１つの筐体に収納されており、光が投影された前記表示体は、外部から視認可能に設けられていること、を特徴とする展示ケースである。
第２の発明は、第１の発明の展示ケースにおいて、前記制御手段は、前記複数の投影手段によって投影された結果、前記表示体の複数の分割領域に対して連続的に照明演出されるように、前記複数の投影手段が投影する照明光を同期させること、を特徴とする展示ケースである。
第３の発明は、第１の発明又は第２の発明の展示ケースにおいて、前記複数の投影手段の各々は、時間軸上で画像を更新する映像を、前記照明光として投影すること、を特徴とする展示ケースである。
第４の発明は、第１の発明から第３の発明までのいずれかの展示ケースにおいて、前記表示体は、立体物であること、を特徴とする展示ケースである。
第５の発明は、第１の発明から第４の発明までのいずれかの展示ケースにおいて、前記表示体は、人の形を模した物体であること、を特徴とする展示ケースである。
第６の発明は、人の形を模した立体物である表示体と共に１つの筐体に収納され、外部から視認可能に設けられた前記表示体に対して照明を照射する照明装置であって、前記表示体を複数の領域に分割し、分割した領域である分割領域の各々に対して照明光を投影する複数の投影手段と、前記複数の投影手段に照明光を投影させる制御手段と、を備え、前記制御手段は、前記複数の投影手段によって投影された光により、前記表示体の複数の分割領域に対して連続的に照明演出されるように、前記複数の投影手段を同期させること、を特徴とする照明装置である。
【発明の効果】
【０００７】
本発明によれば、表示体に対する照明演出を容易に行える展示ケース及び照明装置を提供することができる。
【図面の簡単な説明】
【０００８】
【図１】本実施形態に係る展示ケースの外観図である。
【図２】本実施形態に係る展示ケースの模式図である。
【図３】本実施形態に係る照明装置の機能ブロック図である。
【図４】本実施形態に係る制御装置の画像データ記憶部に記憶される画像データの例を示す図である。
【図５】本実施形態に係る制御装置での照明演出処理を示すフローチャートである。
【図６】本実施形態に係る展示ケースでの実施例を示す図である。
【図７】本実施形態に係る展示ケースでの実施例を示す図である。
【発明を実施するための形態】
【０００９】
以下、本発明を実施するための形態について、図を参照しながら説明する。なお、これは、あくまでも一例であって、本発明の技術的範囲はこれに限られるものではない。
（実施形態）
＜展示ケース１００＞
図１は、本実施形態に係る展示ケース１００の外観図である。
図２は、本実施形態に係る展示ケース１００の模式図である。
図３は、本実施形態に係る照明装置２０の機能ブロック図である。
図４は、本実施形態に係る制御装置４の画像データ記憶部４６に記憶される画像データの例を示す図である。
図１から図３までに示すように、展示ケース１００は、筐体１０に、表示体１５と、照明装置２０とが収納されたものである。展示ケース１００は、例えば、店舗やショーウインド等の施設に設置される。
【００１０】
図１に示すように、筐体１０は、左右方向Ｘが０．９ｍ、奥行方向Ｙが０．９ｍ、鉛直方向Ｚが２．５ｍ程度の直方体形状の装置である。そして、図２に示すように、筐体１０は、仕切り板１４によって、上、中、下の３段に分かれている。図２は、図１の展示ケース１００のＹ−Ｙ方向断面の模式図である。
上段の装置収納部１１は、プロジェクタ３Ｕ（投影手段）を収納する部分である。中段の展示物収納部１２は、展示物である表示体１５を収納する部分である。下段の装置収納部１３は、プロジェクタ３Ｄ（投影手段）と、制御装置４とを収納する部分である。以降の説明において、プロジェクタ３Ｕ及び３Ｄを区別しない場合には、単にプロジェクタ３という。
２枚の仕切り板１４は、各々のプロジェクタ３のレンズ（図示せず）に対して法線方向に対する部分に、孔が開いている。これにより、プロジェクタ３からの照明光を、仕切り板１４が遮断することなく、プロジェクタ３は、表示体１５に照明光を投影することができる。
【００１１】
装置収納部１１と、装置収納部１３とは、プロジェクタ３や、制御装置４（制御手段）等の機材を収納する部分であるため、比較的狭い空間である。また、装置収納部１１と、装置収納部１３とは、その内部が外部から観察できないように閉じた空間になっている。
また、装置収納部１１に収納されたプロジェクタ３Ｕと、装置収納部１３に収納された制御装置４とは、ケーブルＣにより接続されている。そのため、装置収納部１１と装置収納部１３とは、ケーブルＣが設けられる程度に奥側Ｙ２が開口している。
他方、展示物収納部１２は、表示体１５を収納する部分であるため、比較的広い空間である。展示物収納部１２は、外部から表示体１５を観察できるように、手前側Ｙ１の側面が開口されている。また、展示物収納部１２の他の３つの側面は、表示体１５が観察できないように、壁面により覆われている。なお、展示物収納部１２は、手前側Ｙ１が開口されていなくても、外部から表示体１５を観察できるようにされていればよく、手前側Ｙ１を、例えば、ガラス板等の透明材料で形成されていてもよい。
【００１２】
表示体１５は、例えば、人の形状を模した立体物（マネキン）である。表示体１５は、鉛直方向Ｚが１．５ｍ程度の大きさである。後述するように、プロジェクタ３により投影されて表示体１５に表示される映像が、より鮮明なものになるように、表示体１５は、例えば、白色の洋服（Ｔシャツ及びズボン）を着衣している。
【００１３】
図３に示す照明装置２０は、表示体１５に対して照明演出を行う装置である。照明装置２０は、プロジェクタ３Ｕ，３Ｄと、制御装置４とを備える。
プロジェクタ３は、表示体１５に対して照明光を投影する装置である。プロジェクタ３は、制御装置４から画像データを受信して、画像データに対応する照明光を投影する。プロジェクタ３は、表示体１５の位置よりも手前側Ｙ１であって、図示しないレンズによって仕切り板１４の孔から、表示体１５に対して投影できるように設置する。そして、プロジェクタ３Ｕは、表示体１５の手前側Ｙ１かつ上側Ｚ１の領域１６Ｕ（分割領域）に対して照明光を投影する。また、プロジェクタ３Ｄは、表示体１５の手前側Ｙ１かつ下側Ｚ２の領域１６Ｄに対して照明光を投影する。
そして、プロジェクタ３は、上述したように、狭い空間の装置収納部１１，１３に格納するので、小型の装置であることが望ましい。
【００１４】
制御装置４は、プロジェクタ３を制御するための装置である。制御装置４は、ＰＣ（パーソナルコンピュータ）等であってもよい。制御装置４は、２台のプロジェクタ３に対して、ケーブルＣによって通信可能に接続されている。
制御装置４は、制御部４０と、記憶部４５と、通信インタフェース部４９と、スイッチ４Ｓとを備える。
【００１５】
制御部４０は、制御装置４の全体を制御するＣＰＵ（中央処理装置）である。制御部４０は、記憶部４５に記憶されているＯＳ（オペレーティングシステム）やアプリケーションプログラムを適宜読み出して実行することにより、上述したハードウェアと協働し、各種機能を実行する。
制御部４０は、画像データ送信部４１と、画像データ同期部４２とを備える。
画像データ送信部４１は、記憶部４５に記憶されている画像データを、対応するプロジェクタ３に送信する。
画像データ同期部４２は、記憶部４５から読み込んだ各画像データを同期させる。
なお、各処理の詳細については、後述する。
【００１６】
記憶部４５は、制御部４０が各種の処理を実行するために必要なプログラム、データ等を記憶するためのハードディスク、半導体メモリ素子等の記憶領域である。
なお、コンピュータとは、制御部、記憶装置等を備えた情報処理装置をいい、制御装置４は、制御部４０、記憶部４５等を備えた情報処理装置であり、コンピュータの概念に含まれる。
記憶部４５は、画像データ記憶部４６と、プログラム記憶部４７とを備える。
画像データ記憶部４６は、プロジェクタ３Ｕ用画像データ（画像データ）と、プロジェクタ３Ｄ用画像データ（画像データ）とを記憶する。プロジェクタ３Ｕ用画像データは、表示体１５の上半身部分である領域１６Ｕに投影する照明光に対応する画像データである。また、プロジェクタ３Ｄ用画像データは、表示体１５の下半身部分である領域１６Ｄに投影する照明光に対応する画像データである。
【００１７】
各画像データは、時間軸上で画像を更新する映像データである。各画像データは、例えば、１２０秒程度の映像を出力するためのデータである。各画像データは、図４に示すように、例えば、４つの演出パターンに分かれている。
演出パターンＡは、様々な色を示す画像データである。プロジェクタ３は、演出パターンＡの画像データに対応する照明光を、表示体１５に投影することで、表示体１５の色を変化させる。
演出パターンＢは、柄を示す画像データである。プロジェクタ３は、演出パターンＢの画像データに対応する照明光を、表示体１５に投影することで、表示体１５に表示される柄の位置を移動させる。
【００１８】
演出パターンＣは、文字を示す画像データである。プロジェクタ３は、演出パターンＣの画像データに対応する照明光を、表示体１５に投影することで、表示体１５に表示される文字を変化させる。
演出パターンＤは、柄を示す画像データである。プロジェクタ３は、演出パターンＤの画像データに対応する照明光を、表示体１５に投影することで、表示体１５に表示される柄の種類を変化させる。
そして、画像データは、同期フラグを各演出パターンの間に有する。同期フラグは、各プロジェクタ３が投影する照明光の同期を合わせるためのものである。
また、画像データは、ＥＯＦ（Ｅｎｄ  Ｏｆ  Ｆｉｌｅ）を有する。ＥＯＦは、データの終端を表す。
【００１９】
図３に戻り、プログラム記憶部４７は、各種プログラムを記憶させるための記憶領域である。プログラム記憶部４７は、照明演出プログラム４７ａを記憶している。
照明演出プログラム４７ａは、制御装置４の制御部４０が実行する各種機能を行うためのプログラムである。
【００２０】
通信インタフェース部４９は、プロジェクタ３との間で通信を行うためのインタフェース部である。
スイッチ４Ｓは、制御部４０に対して照明演出プログラム４７ａを実行させるためのスイッチである。スイッチ４Ｓをオン（ＯＮ）にすることで、制御部４０は、照明演出プログラム４７ａを実行して、プロジェクタ３に対して読み込んだ画像データを送信する。また、スイッチ４Ｓをオフ（ＯＦＦ）にすることで、制御部４０は、照明演出プログラム４７ａの実行を終了する。
【００２１】
＜照明装置２０の処理＞
次に、照明装置２０の処理について説明する。
図５は、本実施形態に係る制御装置４での照明演出処理を示すフローチャートである。
図６及び図７は、本実施形態に係る展示ケース１００での実施例を示す図である。
図５のＳ１０において、制御装置４の制御部４０は、スイッチ４ＳのＯＮ操作を受け付けたか否かを判断する。例えば、展示ケース１００の管理者等によってスイッチ４Ｓが操作されることで、制御部４０は、スイッチ４ＳのＯＮ操作を受け付ける。スイッチ４ＳのＯＮ操作を受け付けた場合（Ｓ１０：ＹＥＳ）には、制御部４０は、処理をＳ１１に移す。他方、スイッチ４ＳのＯＮ操作を受け付けていない場合（Ｓ１０：ＮＯ）には、制御部４０は、Ｓ１０の処理を繰り返す。
【００２２】
Ｓ１１において、制御部４０は、プログラム記憶部４７に記憶されている照明演出プログラム４７ａを実行する。
Ｓ１２において、制御部４０は、画像データ記憶部４６に記憶されているプロジェクタ３Ｕ用画像データ及びプロジェクタ３Ｄ用画像データを読み込む。制御部４０は、この各画像データの読み込みを逐次行う。そして、制御部４０（画像データ送信部４１）は、読み込んだプロジェクタ３Ｕ用画像データを、プロジェクタ３Ｕに対して送信し、読み込んだプロジェクタ３Ｄ用画像データを、プロジェクタ３Ｄに対して送信する。
このようにすることで、プロジェクタ３は、受信した画像データに対応する照明光を投影するので、表示体１５には、画像データに対応する映像が表示させる。
【００２３】
図６（Ａ）は、プロジェクタ３に送信されたある時間軸の画像データの内容を示す。また、図６（Ｂ）は、プロジェクタ３が図６（Ａ）の画像データを受信して対応する照明光を投影することで、表示体１５に、画像データに対応する映像が表示された態様を示す。プロジェクタ３Ｕによって表示体１５の領域１６Ｕに投影された映像と、プロジェクタ３Ｄによって表示体１５の領域１６Ｄに投影された映像とにより、あたかも上着の柄と、上着の柄とは異なるズボンの柄の洋服を、表示体１５が身に着けているように表現できる。なお、実際には、表示体１５の立体形状に合わせて映像に歪みが生じるので、身体の形状に合わせて、柄が伸び縮みしているように表現できる。
【００２４】
図５に戻り、Ｓ１３において、制御部４０は、画像データに有する同期フラグを読み込んだか否かを判断する。同期フラグを読み込んだ場合（Ｓ１３：ＹＥＳ）には、制御部４０は、処理をＳ１４に移す。他方、同期フラグを読み込んでいない場合（Ｓ１３：ＮＯ）には、制御部４０は、処理をＳ１５に移す。
Ｓ１４において、制御部４０は、次の演出パターンの画像データを読み込む。そして、制御部４０（画像データ同期部４２、画像データ送信部４１）は、読み込んだ画像データを同期させて、各プロジェクタ３に対して画像データを送信する。
【００２５】
Ｓ１５において、制御部４０は、画像データの終了まで到達したか（ＥＯＦか）否かを判断する。画像データの終了まで到達した場合（Ｓ１５：ＹＥＳ）には、制御部４０は、処理をＳ１２に移し、再度各画像データの最初から読み込んで、繰り返し処理を行う。他方、画像データの終了まで到達していない場合（Ｓ１５：ＮＯ）には、制御部４０は、処理をＳ１６に移す。
Ｓ１６において、制御部４０は、スイッチ４ＳのＯＦＦ操作を受け付けたか否かを判断する。例えば、展示ケース１００の管理者等によってスイッチ４Ｓが操作されることで、制御部４０は、スイッチ４ＳのＯＦＦ操作を受け付ける。スイッチ４ＳのＯＦＦ操作を受け付けた場合（Ｓ１６：ＹＥＳ）には、制御部４０は、処理をＳ１７に移す。他方、スイッチ４ＳのＯＦＦ操作を受け付けていない場合（Ｓ１６：ＮＯ）には、制御部４０は、処理をＳ１２に移す。
Ｓ１７において、制御部４０は、照明演出プログラム４７ａの実行を終了した後に、本処理を終了する。
【００２６】
このように、制御装置４は、画像データを読み込んで、都度プロジェクタ３に対して画像データを送信するので、プロジェクタ３では、受信した画像データに対応する照明光を投影する。よって、照明装置２０は、時間の経過と共に変化する（時間軸上で画像を更新する）映像を、表示体１５に表示させることができる。
また、制御装置４は、同期フラグを読み込んだときには、次に読み込んだ各画像データを同期させるので、プロジェクタ３Ｕ，３Ｄによる映像が、演出パターンごとに連動したものにできる。
【００２７】
次に、図７（Ａ）〜（Ｃ）は、図５に示す照明演出処理によって時間の経過と共に表示体１５に映し出された映像が変化している態様を示す。図７は、図６で示したものとは異なり、プロジェクタ３Ｕ用画像データと、プロジェクタ３Ｄ用画像データとが、一体の柄を表すものである。よって、プロジェクタ３Ｕが表示体１５の領域１６Ｕに投影し、プロジェクタ３Ｄが表示体１５の領域１６Ｄに投影しても、一体の映像であるかのように表示体１５に表示でき、あたかも上着とズボンとが同じ柄の洋服であるかのように表現できる。
【００２８】
このように、本実施形態の展示ケース１００によれば、以下のような効果がある。
（１）１つの筐体１０に、表示体１５と、プロジェクタ３と、制御装置４とが収納されているので、筐体１０を設置場所に運び込むだけでよく、設置が容易である。また、表示体１５と、プロジェクタ３との位置による調整が簡単であり、手軽に設置が可能である。
筐体１０に表示体１５とプロジェクタ３とが収納させており、両者の距離が近接しているので、表示体１５とプロジェクタ３との間が分断されずに済む。そのため、安定して表示体１５に映像を表示できる。また、表示体１５とプロジェクタ３とが近接位置に設けられているため、各プロジェクタ３における表示領域が狭いが、複数のプロジェクタ３を用いることで、表示領域の狭さを補完できる。
筐体１０は、表示体１５を設置する展示物収納部１２が手前側Ｙ１に開口されているので、表示体１５が外部から視認可能である。よって、広告等の映像を投影することで、広く話題喚起や集客に活用できる。
【００２９】
（２）制御装置４がプロジェクタ３Ｕ及びプロジェクタ３Ｄを同期させることで、表示体１５の領域１６Ｕ，１６Ｄに投影された光によって、表示体１５に対して連続的な照明演出ができる。よって、複数のプロジェクタ３を用いても、違和感のない照明演出を行うことができる。
（３）プロジェクタ３Ｕ及びプロジェクタ３Ｄは、時間軸上で画像を更新する映像を投影するので、表示体１５に表示される照明演出に、時間の経過と共に変化する動きを与えることができる。よって、表示体１５に動画を表示することができる。
【００３０】
（４）表示体１５が立体物であるので、その立体物の凹凸に応じて様々な照明演出を行うことができる。
（５）表示体１５が人の形を模した物体であるので、そこに照明演出を行うことで、面白い態様で表示体１５をユーザに見せることができる。これにより、表示体１５を用いて、洋服を着せ替えるような演出をすることができる。
【００３１】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００３２】
（変形形態）
（１）本実施形態では、２台のプロジェクタを用いて、表示体に対して照明光を投影するものを例に説明したが、これに限定されない。例えば、３台以上のプロジェクタを用いてもよい。例えば、顔部を有する表示体に照明光を投影することで、さらに、顔の表情を変化させる演出を行うことができる。このように、より多様な照明演出を行うことができる。
（２）本実施形態では、画像データが、各演出パターンの間に同期フラグを有するものとして説明したが、これに限定されない。例えば、画像データを、プロジェクタごとに各々複数有し、１つの画像データが終了まで到達した場合には、別の画像データを読み込んで各プロジェクタに対して送信するものであってもよい。その場合に、別の画像データを読み込んだ後に、その画像データを送信するタイミングを合わせるように制御するものであってもよい。
【００３３】
（３）本実施形態では、表示体を、マネキンを例に説明したが、これに限定されない。宣伝広告内容や、機能説明等、各用途に応じた形状のものを使用してもよい。
（４）本実施形態では、表示体を手前側から視認できるようにするものとして説明したが、これに限定されない。例えば、表示体を左右方向からも視認できるようにしてもよい。
（５）本実施形態では、複数のプロジェクタと制御装置とがケーブルによって接続されているものを説明したが、これに限定されない。複数のプロジェクタと制御装置とを、例えば、無線通信を用いて通信可能にしてもよい。
【符号の説明】
【００３４】
３，３Ｕ，３Ｄ  プロジェクタ
４    端末装置
１０  筐体
１５  表示体
１６Ｕ，１６Ｄ  領域
２０  照明装置
４０  制御部
４１  画像データ送信部
４２  画像データ同期部
４５  記憶部
４６  画像データ記憶部
４７ａ  照明演出プログラム
１００  展示ケース
【図１】
2016201253.tif 000003
【図２】
2016201253.tif 000004
【図３】
2016201253.tif 000005
【図４】
2016201253.tif 000006
【図５】
2016201253.tif 000007
【図６】
2016201253.tif 000008
【図７】
2016201253.tif 000009